(57)【要約】【課題】表示装置において、番組表上で、設定されたグループ内の放送番組の放送開始時刻順等の関係をユーザが把握し易いようにする。【解決手段】表示装置１は、放送番組の番組表Ｔ１を表示するディスプレイと、放送番組のグループを設定するためのリモコンと、ディスプレイに、リモコンにより設定されたグループ内の放送番組のセルＣ２を繋ぐ連結線Ｌ１を番組表Ｔ１上に表示させる制御回路とを備える。それにより、番組表Ｔ１上で、グループ内の放送番組のセルＣ２が連結線Ｌ１で繋がれるので、ユーザが連結線Ｌ１に沿ってセルＣ２を目で追うことにより、それらのセルＣ２にそれぞれ対応する放送番組の放送開始時刻順等の関係を直感的に把握し易くなる。【選択図】図２
2014107703.tif 000002
【特許請求の範囲】
【請求項１】
放送番組の番組表を表示するための表示手段と、
放送番組のグループを設定するための設定手段と、
前記表示手段に、前記設定手段により設定されたグループ内の放送番組のセルを繋ぐ連結線を前記番組表上に表示させる表示制御手段と、を備える表示装置。
【請求項２】
前記連結線は、前記放送番組の放送開始時刻順に該放送番組のセルを繋ぐことを特徴とする請求項１に記載の表示装置。
【請求項３】
前記表示手段により表示されるカーソルを、前記番組表内で該カーソルにより現在選択中のセルから別のセルに移動させて該セルを選択するための第１の操作手段を備え、
前記表示制御手段は、前記連結線により繋がれたセルのいずれかが前記カーソルにより選択されているときに、前記第１の操作手段が操作された場合、前記カーソルにより選択中のセルに前記連結線により繋がれた別のセルであって、前記選択中のセルに対応する放送番組の放送開始時刻よりも早く放送が開始される放送番組のセルに前記カーソルを移動させることを特徴とする請求項２に記載の表示装置。
【請求項４】
前記表示手段により表示されるカーソルを、前記番組表内で該カーソルにより現在選択中のセルから別のセルに移動させて該セルを選択するための第２の操作手段を備え、
前記表示制御手段は、前記連結線により繋がれたセルのいずれかが前記カーソルにより選択されているときに、前記第２の操作手段が操作された場合、前記カーソルにより選択中のセルに前記連結線により繋がれた別のセルであって、前記選択中のセルに対応する放送番組の放送開始時刻よりも遅く放送が開始される放送番組のセルに前記カーソルを移動させることを特徴とする請求項２又は請求項３に記載の表示装置。
【請求項５】
前記連結線の表示形態は、前記選択中のセルに対応する放送番組の放送開始時刻以前に放送が開始される放送番組のセル間と、前記選択中のセルに対応する放送番組の放送開始時刻以降に放送が開始される放送番組のセル間とで異なることを特徴とする請求項３又は請求項４に記載の表示装置。
【請求項６】
前記連結線のうち、前記選択中のセルに対応する放送番組の放送開始時刻以前に放送が開始される放送番組のセル間の部分は、不透明とされ、前記選択中のセルに対応する放送番組の放送開始時刻以降に放送が開始される放送番組のセル間の部分は、半透明とされることを特徴とする請求項５に記載の表示装置。
【請求項７】
前記連結線は、前記番組表上で、放送開始時刻の早い放送番組のセルから放送開始時刻の遅い放送番組のセルに向かって延びる矢印線により構成されることを特徴とする請求項２乃至請求項６のいずれか一項に記載の表示装置。
【請求項８】
前記表示手段が前記番組表の一部の範囲だけを表示し、前記グループ内の放送番組のセルが前記表示手段による表示範囲内に収まっていない場合、
前記表示制御手段は、前記表示範囲内の前記セルと前記表示範囲外の前記セルとの間については、前記連結線の代わりとして、矢印を前記表示手段に表示させ、
前記矢印は、前記放送番組の放送開始時刻順に応じ、前記表示範囲内の前記セルを始点として該始点のセルから前記表示範囲外のセルの方向を指すか、又は前記表示範囲内の前記セルを終点として前記表示範囲外の前記セルの方向から該終点のセルを指すことを特徴とする請求項２乃至請求項７のいずれか一項に記載の表示装置。
【請求項９】
前記表示制御手段は、前記表示範囲内の前記セルを基準として、前記表示範囲外の前記セルの方向に、該セルに対応する放送番組の情報を前記表示手段にさらに表示させることを特徴とする請求項８に記載の表示装置。
【発明の詳細な説明】
【技術分野】
【０００１】
本発明は、放送番組の番組表を表示する表示装置に関する。
【背景技術】
【０００２】
従来から、番組表を表示し、その番組表内の１つの放送番組がリモートコントローラの操作により選択されるとき、その選択された放送番組の情報と一致又は類似する情報を有する放送番組を検索する表示装置が知られている。この表示装置は、その検索された放送番組を、番組表上で他の放送番組と比べて高い明度で表示するか、明滅させて表示する。また、上記表示装置は、選択された放送番組と、検索された放送番組との相対的位置関係を番組表上で矢印を用いて表示する（例えば、特許文献１を参照）。
【先行技術文献】
【特許文献】
【０００３】
【特許文献１】特開２００９−３３２３４号公報
【発明の概要】
【発明が解決しようとする課題】
【０００４】
特許文献１に記載のような表示装置においては、選択された放送番組と、検索された放送番組との間で、また、検索された放送番組同士で、番組情報に繋がりがあり、それらの放送番組は、一つのグループを構成する。
【０００５】
ところで、そのグループのうち、検索された放送番組が多数あり、しかもそれらの放送番組が番組表上に点在し、それらの放送番組の放送開始時刻に差があまりないとする。その場合、それらの放送番組が他の放送番組とは異なる形態で表示され、かつ上記矢印が表示されたとしても、グループ内の放送番組の放送開始時刻順等の関係は分かり難い。
【０００６】
本発明は、上記の問題を解決するためになされたものであり、番組表上で、設定されるグループ内の放送番組の放送開始時刻順等の関係をユーザが直感的に把握し易い表示装置を提供することを目的とする。
【課題を解決するための手段】
【０００７】
上記課題を解決するために本発明の表示装置は、放送番組の番組表を表示するための表示手段と、放送番組のグループを設定するための設定手段と、前記表示手段に、前記設定手段により設定されたグループ内の放送番組のセルを繋ぐ連結線を前記番組表上に表示させる表示制御手段と、を備える。
【０００８】
この構成によれば、番組表上で、設定されたグループ内の放送番組のセルが連結線で繋がれるので、ユーザが連結線に沿ってセルを目で追うことにより、それらのセルにそれぞれ対応する放送番組の放送開始時刻順等の関係を直感的に把握し易くなる。
【０００９】
前記連結線は、前記放送番組の放送開始時刻順に該放送番組のセルを繋ぐことが好ましい。
【００１０】
この構成によれば、設定されたグループ内の放送番組の放送開始時刻順をユーザが確実に把握することができる。
【００１１】
前記表示手段により表示されるカーソルを、前記番組表内で該カーソルにより現在選択中のセルから別のセルに移動させて該セルを選択するための第１の操作手段を備え、前記表示制御手段は、前記連結線により繋がれたセルのいずれかが前記カーソルにより選択されているときに、前記第１の操作手段が操作された場合、前記カーソルにより選択中のセルに前記連結線により繋がれた別のセルであって、前記選択中のセルに対応する放送番組の放送開始時刻よりも早く放送が開始される放送番組のセルに前記カーソルを移動させることが好ましい。
【００１２】
この構成によれば、連結線で繋がるセルの中に、放送番組の放送チャンネルが互いに異なるセルがあったとしても、第１の操作手段を操作するだけで、放送チャンネルに関係なく、放送開始時刻がより早い放送番組のセルにカーソルを移動させることができる。従って、カーソルを簡単かつ迅速に移動させることができ、利便性がよくなる。
【００１３】
前記表示手段により表示されるカーソルを、前記番組表内で該カーソルにより現在選択中のセルから別のセルに移動させて該セルを選択するための第２の操作手段を備え、前記表示制御手段は、前記連結線により繋がれたセルのいずれかが前記カーソルにより選択されているときに、前記第２の操作手段が操作された場合、前記カーソルにより選択中のセルに前記連結線により繋がれた別のセルであって、前記選択中のセルに対応する放送番組の放送開始時刻よりも遅く放送が開始される放送番組のセルに前記カーソルを移動させることが好ましい。
【００１４】
この構成によれば、連結線で繋がるセルの中に、放送番組の放送チャンネルが互いに異なるセルがあったとしても、第２の操作手段を操作するだけで、放送チャンネルに関係なく、放送開始時刻がより遅い放送番組のセルにカーソルを移動させることができる。従って、カーソルを簡単かつ迅速に移動させることができ、利便性がよくなる。
【００１５】
前記連結線の表示形態は、前記選択中のセルに対応する放送番組の放送開始時刻以前に放送が開始される放送番組のセル間と、前記選択中のセルに対応する放送番組の放送開始時刻以降に放送が開始される放送番組のセル間とで異なることを特徴とすることが好ましい。
【００１６】
この構成によれば、現在選択中のセルに対応する放送番組を基準にして、設定されたグループ内の他の放送番組の放送開始時刻順が前と後のいずれであるかを、ユーザが視覚を通して直感的に認識することができる。従って、ユーザがその放送開始時刻順をさらに把握し易くなる。
【００１７】
前記連結線のうち、前記選択中のセルに対応する放送番組の放送開始時刻以前に放送が開始される放送番組のセル間の部分は、不透明とされ、前記選択中のセルに対応する放送番組の放送開始時刻以降に放送が開始される放送番組のセル間の部分は、半透明とされることが好ましい。
【００１８】
一般に、ユーザは、番組表で放送番組の情報を確認しようとするとき、放送開始時刻順で後の方の将来の放送番組を前もって確認することが多い。上記構成によれば、そのような放送番組の情報を示す文字等と、連結線とが重なってしまったとしても、連結線は半透明なので、文字等が判読し難くなることを防止でき、そのため、使い勝手が良くなる。
【００１９】
前記連結線は、前記番組表上で、放送開始時刻の早い放送番組のセルから放送開始時刻の遅い放送番組のセルに向かって延びる矢印線により構成されることが好ましい。
【００２０】
この構成によれば、放送番組の放送開始時刻順がさらに分かり易くなる。
【００２１】
前記表示手段が前記番組表の一部の範囲だけを表示し、前記グループ内の放送番組のセルが前記表示手段による表示範囲内に収まっていない場合、前記表示制御手段は、前記表示範囲内の前記セルと前記表示範囲外の前記セルとの間については、前記連結線の代わりとして、矢印を前記表示手段に表示させ、前記矢印は、前記放送番組の放送開始時刻順に応じ、前記表示範囲内の前記セルを始点として該始点のセルから前記表示範囲外のセルの方向を指すか、又は前記表示範囲内の前記セルを終点として前記表示範囲外の前記セルの方向から該終点のセルを指すことが好ましい。
【００２２】
この構成によれば、設定されたグループ内の放送番組のセルのうち、一部のセルが表示手段による表示範囲外にあったとしても、ユーザは、矢印の向き等から、そのセルに対応する放送番組と、表示範囲内のセルに対応する放送番組との放送開始時刻等の関係を直感的に認識することができる。
【００２３】
前記表示制御手段は、前記表示範囲内の前記セルを基準として、前記表示範囲外の前記セルの方向に、該セルに対応する放送番組の情報を前記表示手段にさらに表示させることが好ましい。
【００２４】
この構成によれば、設定されたグループ内の放送番組のセルのうち、一部のセルが表示手段による表示範囲外にあった場合に表示範囲を変更しなくても、ユーザは、そのセルに対応する放送番組の情報を知ることができ、便利になる。
【発明の効果】
【００２５】
本発明によれば、番組表上で、設定されたグループ内の放送番組の放送開始時刻順等の関係をユーザが把握し易くなる。
【図面の簡単な説明】
【００２６】
【図１】本発明の一実施形態に係る表示装置の構成を示す電気的ブロック図。
【図２】上記表示装置のディスプレイにおける番組表及び連結線の表示時の表示画面を示す図。
【図３】上記表示装置の制御回路における連結線表示制御処理の手順を示すフローチャート。
【図４】上記実施形態の一変形例に係る表示装置のディスプレイにおける番組表及び連結線の表示時の表示画面を示す図。
【発明を実施するための形態】
【００２７】
本発明の一実施形態に係る表示装置について図面を参照して説明する。図１は、本実施形態の表示装置の構成を示す。その表示装置１は、テレビジョン放送（以下、単に放送という）番組の番組表を表示する装置本体２と、装置本体２を遠隔に操作するためのリモートコントローラ（以下、リモコンという）３とを備え、テレビジョン受像機に適用される。装置本体２は、放送番組の電子番組表（以下、単に番組表という）を表示する。リモコン３は、放送番組のグループを設定するために用いられ、装置本体２は、番組表上に、リモコン３により設定されたグループ内の放送番組のセルを繋ぐ連結線を表示する。
【００２８】
装置本体２は、アンテナ２０を介して放送信号を受信するチューナ２１と、その受信された放送信号を復調する復調回路２２と、その復調された放送信号から放送番組の映像信号、音声信号及びデータ信号を分離する分離回路２３を有する。また、装置本体２は、分離回路２３により分離された各信号を復号化するデコーダ２４と、その復号化された映像信号及びデータ信号のそれぞれに基づいて放送番組の映像及び番組表を表示するディスプレイ２５（表示手段）と、上記復号化された音声信号に基づいて放送番組の音声を出力するスピーカ２６とを備える。ディスプレイ２５は、番組表の表示時に、カーソルも表示する。
【００２９】
また、装置本体２は、リモコン３から赤外線で送信される操作信号を受信する受信回路２７と、その受信された操作信号に基づいて装置本体２内の上記各回路を制御する制御回路２８（表示制御手段）と、タイマ２９とを備える。制御回路２８は、チューナ２１の受信チャンネルの選局制御、ディスプレイ２５の表示制御、及びスピーカ２６の音声出力制御を行う。また、制御回路２８は、放送番組の予約視聴機能及び予約録画機能を有する。予約視聴機能により、制御回路２８は、タイマ２９を用いて計時しつつ、リモコン３により視聴を予約された放送番組の映像表示及び音声出力を自動的にリアルタイムで実行する。予約録画機能により、制御回路２８は、タイマ２９を用いて計時しつつ、リモコン３により録画を予約された放送番組の映像信号及び音声信号を、装置本体２に搭載された記憶媒体又は外部の記憶機器に自動的に記憶させる。
【００３０】
リモコン３は、操作キー３１と、ユーザによる操作キー３１を用いた操作の内容を示す操作信号を生成する制御回路３２と、その生成された操作信号を赤外線で装置本体２に送信する送信回路３３とを有する。
【００３１】
操作キー３１は、チューナ２１の受信チャンネルを選局するための選局キー３１ａと、ディスプレイ２５に番組表を表示させる操作を行うための番組表キー３１ｂとを含む。また、操作キー３１は、ディスプレイ２５により表示されるカーソルを、番組表内でカーソルにより現在選択されているセルから別のセルに移動させて、そのセルを選択するためのカーソルキー３１ｃ（設定手段を構成）と、カーソルキー３１ｃによる選択内容を決定するための決定キー３１ｄ（設定手段を構成）と、ディスプレイ２５の表示を切り替えた後にその表示を元に戻すためのバックキー３１ｅとを含む。カーソルキー３１ｃは、ディスプレイ２５の表示画面上でカーソルを上方、下方、左方及び右方のそれぞれに移動させるための上向き矢印キー３１ｆ（第２の操作手段）、下向き矢印キー３１ｇ（第１の操作手段）、左向き矢印キー３１ｈ及び右向き矢印キー３１ｉにより構成される。後述するが、カーソルキー３１ｃ及び決定キー３１ｄを用いた操作により、放送番組のグループ設定が可能とされている。
【００３２】
図２は、ディスプレイ２５における番組表表示時の表示画面２５ａを示す。番組表キー３１ｂが操作されると、制御回路２８は、ディスプレイ２５に番組表Ｔ１を表示させる。このとき、制御回路２８は、番組表Ｔ１に加え、カーソルＣ１と、サブメニューアイコンＭ１とをディスプレイ２５に表示させる。図示の連結線Ｌ１については後述する。
【００３３】
番組表Ｔ１は、縦軸（行に相当）に時刻を示し、横軸（列に相当）に放送チャンネルを示す。番組表Ｔ１は、放送番組毎に区分けされた複数のセルＣ２により構成される。それらのセルＣ２は、それぞれ、放送チャンネル毎に、セルＣ２に対応する放送番組の放送開始時刻及び放送終了時刻に応じた位置及び大きさである。また、それらのセルＣ２は、それぞれ、枠線により囲われ、その枠線の中に、セルＣ２に対応する放送番組の番組名及び内容等の情報が表示される。
【００３４】
制御回路２８における放送番組の予約視聴制御処理及び予約録画制御処理について上記図２を参照して説明する。番組表Ｔ１がディスプレイ２５に表示された状態で、カーソルキー３１ｃが操作されたとする。そのとき、制御回路２８は、その操作に応じてカーソルＣ１を移動させる。カーソルＣ１により番組表Ｔ１内の放送番組のセルＣ２が選択され、その状態で決定キー３１ｄが操作されると、制御回路２８は、メニュー（図示せず）をディスプレイ２５に表示させる。そのメニューには、選択対象のセルＣ２に対応する放送番組（以下、選択対象の放送番組という）への制御内容として、予約視聴及び予約録画が挙げられている。カーソルキー３１ｃが操作され、それらの制御内容のうち、いずれかがカーソルＣ１により選択され、その状態で決定キー３１ｄが操作されたとする。そのとき、制御回路２８は、選択された内容の制御を、選択対象の放送番組に対して実行する。
【００３５】
次に、制御回路２８における連結線の表示制御処理について、上記図２に加え、図３を参照して説明する。図３は、その表示制御処理の手順を示す。番組表キー３１ｂが操作されると（Ｓ１でＹｅｓ）、制御回路２８は、ディスプレイ２５に番組表Ｔ１、カーソルＣ１及びサブメニューアイコンＭ１を表示する（Ｓ２）。ここで、カーソルＣ１がカーソルキー３１ｃによる操作に応じてサブメニューアイコンＭ１に移動し、その状態で決定キー３１ｄが操作され、このようにしてサブメニューの選択操作がなされたとする（Ｓ３でＹｅｓ）。そのとき、制御回路２８は、ディスプレイ２５に、サブメニューとしてのグループリストを表示する（Ｓ４）。そのグループリストには、録画予約した放送番組のグループ、視聴予約した放送番組のグループ、及び特定のジャンルの放送番組のグループが列挙される。
【００３６】
カーソルキー３１ｃが操作され、カーソルＣ１が移動し、そのカーソルＣ１により、上記グループリストの中から、いずれかのグループが選択されたとする。そして、その状態で、決定キー３１ｄが操作され、その選択が設定されたとする（Ｓ５でＹｅｓ）。そのとき、制御回路２８は、ディスプレイ２５上のグループリストの表示を終了させ、ディスプレイ２５に上記選択されたグループ内の放送番組のセルＣ２’を繋ぐ連結線Ｌ１を番組表Ｔ１上に表示させる（Ｓ６）。連結線Ｌ１は、放送番組の放送開始時刻順に放送番組のセルＣ２’を繋ぐ。連結線Ｌ１は、例えばセルＣ２’の略中心を繋ぐ。また、連結線Ｌ１は、番組表Ｔ１上で、放送開始時刻の早い放送番組のセルＣ２’から放送開始時刻の遅い放送番組のセルＣ２’に向かって延びる矢印線により構成される。上記グループに属する放送番組の放送開始時刻が互いに同じである場合、連結線Ｌ１は、例えば放送チャンネルの小さい放送番組のセルＣ２’から、放送チャンネルの大きい放送番組のセルＣ２’に向かって延びる。制御回路２８は、設定されたグループ内の放送番組のセルＣ２’の表示形態を、他の放送番組のセルＣ２とは異なる表示形態に変更する。その表示形態としては、図示のような他の放送番組のセルＣ２とは異なる色での表示が挙げられる。連結線Ｌ１が表示されたとき、制御回路２８は、連結線Ｌ１で繋がれたセルＣ２’のうち、放送開始時刻が最も早い放送番組のセルＣ２’にカーソルＣ１を配置する、これにより、そのセルＣ２’がカーソルＣ１によって選択される（Ｓ７）。
【００３７】
連結線Ｌ１が表示された状態で、下向き矢印キー３１ｇが操作されたとする（Ｓ８でＹｅｓ）。そのとき、カーソルＣ１が、連結線Ｌ１で繋がれたセルＣ２’のうち、放送開始時刻が最も遅い放送番組のセルＣ２’にないのであれば（Ｓ９でＮｏ）、制御回路２８は、カーソルＣ１を移動させる。その移動先は、カーソルＣ１により現在選択中のセルＣ２’に連結線Ｌ１により繋がれたセルＣ２’であって、現在選択中のセルＣ２’に対応する放送番組の放送開始時刻よりも遅く放送が開始される放送番組のセルＣ２’である（Ｓ１０）。カーソルＣ１は、下向き矢印キー３１ｇが１回操作される毎に、連結線Ｌ１により繋がれた次のセルＣ２’に移動する。
【００３８】
一方、連結線Ｌ１が表示された状態で、上向き矢印キー３１ｆが操作されたとする（Ｓ１１でＹｅｓ）。そのとき、カーソルＣ１が、連結線Ｌ１で繋がれたセルＣ２’のうち、放送開始時刻が最も早い放送番組のセルＣ２’にないのであれば（Ｓ１２でＮｏ）、制御回路２８は、カーソルＣ１を移動させる。その移動先は、カーソルＣ１により現在選択中のセルＣ２’に連結線Ｌ１により繋がれたセルＣ２’であって、現在選択中のセルＣ２’に対応する放送番組の放送開始時刻よりも早く放送が開始される放送番組のセルＣ２’である（Ｓ１３）。カーソルＣ１は、上向き矢印キー３１ｆが１回操作される毎に、連結線Ｌ１により繋がれた１つ前のセルＣ２’に移動する。
【００３９】
以下、説明の便宜上、カーソルＣ１により現在選択中のセルＣ２’に対応する放送番組の放送開始時刻以前に放送が開始される放送番組のセルＣ２’を「カーソル選択対象よりも前のセルＣ２’」といい、カーソルＣ１により現在選択中のセルＣ２’に対応する放送番組の放送開始時刻以降に放送が開始される放送番組のセルＣ２’を「カーソル選択対象よりも後のセルＣ２’」という。連結線Ｌ１の表示形態は、カーソル選択対象よりも前のセルＣ２’間と、カーソル選択対象よりも後のセルＣ２’間とで異なる。例えば、連結線Ｌ１のうち、カーソル選択対象よりも前のセルＣ２’間の連結線Ｌ２は、不透明とされ、一方、カーソル選択対象よりも後のセルＣ２’間の連結線Ｌ３は、半透明とされる。
【００４０】
連結線Ｌ１が表示された状態で、カーソルＣ１がカーソルキー３１ｃによる操作に応じてサブメニューアイコンＭ１に移動し、その状態で決定キー３１ｄが操作されたとする。その場合、制御回路２８は、ディスプレイ２５に、サブメニューとして、上記グループリストに加え、連結線Ｌ１の表示を取り消すための項目を表示する。カーソルＣ１がカーソルキー３１ｃによる操作に応じて上記項目に移動し、その状態で決定キー３１ｄが操作されることにより、連結線Ｌ１の表示取消し操作がなされたとする（Ｓ１４でＹｅｓ）。そのとき、制御回路２８は、連結線Ｌ１の表示を取り消す（Ｓ１５）。なお、上述した番組表Ｔ１表示後のいずれの状態であっても、バックキー３１ｅが操作されると、制御回路２８は、番組表Ｔ１及び連結線Ｌ１の表示を取り消し、ディスプレイ２５の表示を放送番組の映像表示に切り替える。
【００４１】
本実施形態においては、番組表Ｔ１上で、設定されたグループ内の放送番組のセルＣ２’が連結線Ｌ１で繋がれるので、ユーザが連結線Ｌ１に沿ってセルＣ２’を目で追うことにより、それらのセルＣ２’にそれぞれ対応する放送番組の放送開始時刻順等の関係を直感的に把握し易くなる。また、連結線Ｌ１により放送番組のセルＣ２’が繋がれる順は、放送番組の放送開始時刻順であるので、ユーザが放送番組の放送開始時刻順を確実に把握することができる。また、連結線Ｌ１で繋がるセルＣ２’の中に、放送番組の放送チャンネルが互いに異なるセルＣ２’があったとしても、上向き矢印キー３１ｆ又は下向き矢印キー３１ｇを操作するだけで、放送チャンネルに関係なく、放送開始時刻がより早いか、又は遅い放送番組のセルＣ２’にカーソルＣ１を移動させることができる。従って、カーソルＣ１を簡単かつ迅速に移動させることができ、利便性がよくなる。
【００４２】
また、連結線Ｌ１は、カーソル選択対象よりも前のセルＣ２’間と、後のセルＣ２’間とで表示形態が異なるので、カーソル選択対象のセルＣ２’に対応する放送番組を基準にして、設定されたグループ内の他の放送番組の放送開始時刻順が前と後のいずれであるかを、ユーザが視覚を通して直感的に認識することができる。従って、ユーザがその放送開始時刻順をさらに把握し易くなる。また、一般に、ユーザは、番組表Ｔ１で放送番組の情報を確認しようとするとき、放送開始時刻順で後の方の将来の放送番組を前もって確認することが多い。従って、そのような放送番組の情報を示す文字等と、連結線Ｌ３とが重なってしまったとしても、連結線Ｌ３は半透明なので、文字等が判読し難くなることを防止でき、そのため、使い勝手が良くなる。また、連結線Ｌ１は矢印線により構成されるので、放送番組の放送開始時刻順がさらに分かり易くなる。
【００４３】
また、連結線Ｌ１で繋ぐ放送番組のグループとして、録画予約した放送番組のグループが設定されたとする。その場合、録画予約した放送番組だけが一覧表示される場合とは異なり、ユーザが録画予約した番組の裏番組を直ぐに把握することができる。
【００４４】
以下に、上記実施形態の一変形例に係る表示装置１について図４を参照して説明する。図４は、本変形例の表示装置１のディスプレイ２５における番組表Ｔ１及び連結線Ｌ１の表示時の表示画面２５ａを示す。本変形例の表示装置１の構成部材については、上記実施形態のそれと同等であることから、上記図１を再度参照し、上記実施形態と同一の構成部材に同一の符号を付して説明する。
【００４５】
本変形例では、ディスプレイ２５の表示画面２５ａが、番組表Ｔ１の一部だけを表示可能なサイズであるとする。ここで、ディスプレイ２５が番組表Ｔ１の一部の範囲だけを表示し、設定されたグループ内の放送番組のセルＣ２’がディスプレイ２５による表示範囲Ｓ１内に収まっておらず、セルＣ２’が表示範囲Ｓ１内にも表示範囲Ｓ１外にもあるとする（表示範囲Ｓ１外のセルＣ２’の図示は省略）。
【００４６】
上記の場合、制御回路２８は、表示範囲Ｓ１内のセルＣ２’と表示範囲Ｓ１外のセルＣ２’との間については、連結線Ｌ１の代わりとして、矢印Ａ１をディスプレイ２５に表示させる。制御回路２８は、放送番組の放送開始時刻順に応じて、表示範囲Ｓ１内のセルＣ２’を矢印Ａ１の始点（基端）又は終点（先端）とする。表示範囲Ｓ１内のセルＣ２’に対応する放送番組の放送開始時刻が、表示範囲Ｓ１外のセルＣ２’に対応する放送番組の放送開始時刻以前である場合、表示範囲Ｓ１内のセルＣ２’は始点とされ、矢印Ａ１はその始点のセルＣ２’から表示範囲Ｓ１外のセルＣ２’の方向を指す。一方、表示範囲Ｓ１内のセルＣ２’に対応する放送番組の放送開始時刻が、表示範囲Ｓ１外のセルＣ２’に対応する放送番組の放送開始時刻よりも遅い場合、表示範囲Ｓ１内のセルＣ２’は終点とされ、矢印Ａ１は表示範囲Ｓ１外のセルＣ２’の方向から表示範囲Ｓ１内の終点のセルＣ２’を指す。
【００４７】
矢印Ａ１の上下方向の成分は、表示範囲Ｓ１内のセルＣ２’に対応する放送番組の放送開始時刻を基準として、表示範囲Ｓ１外のセルＣ２’に対応する放送番組の放送開始時刻が過去と未来のいずれであるかと、その時刻差とを示す。一方、矢印Ａ１の左右方向の成分は、表示範囲Ｓ１内のセルＣ２’に対応する放送番組の放送チャンネルを基準として、表示範囲Ｓ１外のセルＣ２’に対応する放送番組の放送チャンネルが大きいか、又は小さいかと、その差とを示す。矢印Ａ１の向きは、例えば、左斜め上方、上方、右斜め上方、右方、右斜め下方、下方、左斜め下方及び左方から成る８方向のうち、表示範囲Ｓ１内のセルＣ２’を基準とした表示範囲Ｓ１外のセルＣ２’に向かう実際の方向に最も近い向きに設定される。矢印Ａ１と連結線Ｌ１とを区別し易くするため、矢印Ａ１と連結線Ｌ１の表示形態は互いに異なるように設定され、例えば、矢印Ａ１は破線又は点線とされ、連結線Ｌ１は実線とされる。
【００４８】
また、制御回路２８は、矢印Ａ１に加え、表示範囲Ｓ１内のセルＣ２’を基準として、表示範囲Ｓ１外のセルＣ２’の方向に、そのセルＣ２’に対応する放送番組の情報表示枠Ｆ１をディスプレイ２５にさらに表示させる。情報表示枠Ｆ１は、表示範囲Ｓ１内のセルＣ２’が始点である場合には矢印Ａ１の終点付近に、一方、表示範囲Ｓ１内のセルＣ２’が終点である場合には矢印Ａ１の始点付近に配置される。情報表示枠Ｆ１内には、放送番組の放送チャンネル及び放送開始時刻等の情報が表示される。これらの情報を示すテキスト等を見易くするため、情報表示枠Ｆ１内の背景は不透明とされ、上記テキスト等が、その背後に在る番組表Ｔ１のテキスト又はセルＣ２の枠線等と重ならないように設定されていることが望ましい。
【００４９】
本変形例においては、設定されたグループ内の放送番組のセルＣ２’のうち、一部のセルＣ２’がディスプレイ２５による表示範囲Ｓ１外にあったとしても、ユーザは、矢印Ａ１の向き等から、表示範囲Ｓ１外のセルＣ２’に対応する放送番組と、表示範囲Ｓ１内のセルＣ２’に対応する放送番組との放送開始時刻等の関係を直感的に認識することができる。また、一部のセルＣ２’が表示範囲Ｓ１外にあった場合に表示範囲Ｓ１を変更しなくても、ユーザは、そのセルＣ２’に対応する放送番組の情報を情報表示枠Ｆ１から知ることができ、便利になる。
【００５０】
なお、本発明は、上記の実施形態及び変形例の構成に限定されるものでなく、使用目的に応じ、様々な変形が可能である。例えば、連結線Ｌ２と連結線Ｌ３とは、線の太さ、色の濃さ又は色自体が互いに異なっていてもよい。また、連結線Ｌ２と連結線Ｌ３のうちの一方が点滅しても構わない。また、連結線Ｌ２と連結線Ｌ３との間で表示形態が同じであってもよい。その場合、連結線Ｌ２、Ｌ３は、いずれも半透明であってもよいし、いずれも不透明であってもよい。また、制御回路２８がセルＣ２内における文字が表示されていない部分を検出し、その検出された部分に連結線Ｌ１を通してもよい。その場合、連結線Ｌ１を表示しても文字が見やすくなる。また、設定されるグループに応じて、連結線Ｌ１の色を変更してもよい。その場合、グループの設定後、グループリストの表示が消えても、連結線Ｌ１の色から、ユーザが設定したグループを思い出せるので、利便性が向上する。
【符号の説明】
【００５１】
１  表示装置
２  装置本体
２５  ディスプレイ（表示手段）
２８  制御回路（表示制御手段）
３  リモートコントローラ
３１ｃ  カーソルキー
３１ｄ  決定キー
３１ｆ  上向き矢印キー（第２の操作手段）
３１ｇ  下向き矢印キー（第１の操作手段）
Ａ１  矢印
Ｃ１  カーソル
Ｃ２、Ｃ２’  セル
Ｌ１、Ｌ２、Ｌ３  連結線
Ｔ１  番組表
Ｓ１  表示範囲
【図１】
2014107703.tif 000003
【図３】
2014107703.tif 000004
【図２】
2014107703.tif 000005
【図４】
2014107703.tif 000006